(57)【要約】      （修正有）【課題】構造が複雑で、石鹸液を補給し過ぎると石鹸液貯蔵タンクからこぼれてしまい、石鹸液貯蔵タンクの周囲を汚してしまうという問題を解消することができる洗面台載置型石鹸液供給装置を提供する。【解決手段】石鹸液補給関連表示機能を備える洗面台載置型石鹸液供給装置であって、石鹸液貯蔵タンク２０と、石鹸液供給本体３０と、石鹸液貯蔵タンクに接続された石鹸液供給機４０と、制御ボックス５０とを含む。石鹸液貯蔵タンク内に石鹸液補給信号を発信できる液位検出ユニットが設けられる。石鹸液供給本体が洗面台上に設けられ、且つ石鹸液貯蔵タンクに接続され、石鹸液補給関連発光領域と、検知信号を発信できる検知領域と、石鹸液供給蛇口とを備える。制御ボックスは、石鹸液補給信号及び検知信号を受信し、そして石鹸液補給信号に基づき石鹸液供給本体に石鹸液補給関連発光領域を形成し、検知信号に基づき石鹸液供給蛇口３７から石鹸液を供給する。【選択図】図１
2019034114.tif 000002
【特許請求の範囲】
【請求項１】
洗面台上に設けられ、石鹸液を自動的に供給する洗面台載置型石鹸液供給装置において、
石鹸液を貯蔵し、内部に石鹸液の液位状態を検出し、石鹸液補給信号を発信する液位検出ユニットが設けられた石鹸液貯蔵タンクと、
洗面台上に設けられたカバーと、前記カバー内に設けられ、前記石鹸液貯蔵タンクと連通した石鹸液充填管と、前記石鹸液充填管を覆って閉鎖させる蓋板と、前記カバー内に設けられ、発光して前記カバーに石鹸液補給関連発光領域を形成する少なくとも１つの発光モジュールと、センサが設けられ、検知信号を発信する検知領域と、前記カバーに接続された石鹸液供給蛇口とを含み、前記石鹸液充填管の前記蓋板に近い部位に、前記蓋板を取り囲む光透過ネック部が設けられ、前記光透過ネック部が前記カバーから一部露出することで、前記発光モジュールから発せられた光線が前記光透過ネック部を通過して前記石鹸液補給関連発光領域を形成し、前記石鹸液供給蛇口に少なくとも１つの前記石鹸液を供給する石鹸液吐出口及び排気管を介して前記石鹸液貯蔵タンクに接続された排気口が設けられる石鹸液供給本体と、
前記石鹸液貯蔵タンクに接続され、且つ前記石鹸液吐出口に接続され、前記石鹸液貯蔵タンク内に貯蔵された石鹸液を前記石鹸液吐出口に運ぶ石鹸液吐出パイプを含む石鹸液供給機と、
前記液位検出ユニット、前記センサ、前記発光モジュール及び前記石鹸液供給機にそれぞれ電気的に接続されることで、前記液位状態を検出して発信された前記石鹸液補給信号及び前記検知信号を受信して、前記石鹸液補給信号に基づき、前記発光モジュールを駆動して発光することで、前記石鹸液供給本体に前記石鹸液補給関連発光領域を形成し、且つ前記検知信号に基づき、前記石鹸液供給機を制御して前記石鹸液貯蔵タンク内の前記石鹸液を前記石鹸液吐出パイプを介して前記石鹸液吐出口へ運んで石鹸液を供給する制御ボックスとを含むことを特徴とする石鹸液補給関連表示機能を備える洗面台載置型石鹸液供給装置。
【請求項２】
前記蓋板は、キーでロックすることで前記石鹸液充填管の不正開放を防止できるロック機構を含むことを特徴とする請求項１に記載の石鹸液補給関連表示機能を備える洗面台載置型石鹸液供給装置。
【請求項３】
前記石鹸液貯蔵タンクは、接続部を含み、前記石鹸液充填管と前記排気管とが前記接続部により前記石鹸液貯蔵タンクに接続されることを特徴とする請求項１に記載の石鹸液補給関連表示機能を備える洗面台載置型石鹸液供給装置。
【請求項４】
前記制御ボックスが前記石鹸液貯蔵タンクの上方に設けられ、且つ前記接続部及び前記石鹸液供給機が前記石鹸液貯蔵タンクの同じ側に設けられることを特徴とする請求項３に記載の石鹸液補給関連表示機能を備える洗面台載置型石鹸液供給装置。
【請求項５】
前記制御ボックスが前記石鹸液貯蔵タンクの下方に設けられ、且つ前記接続部及び前記石鹸液供給機が前記石鹸液貯蔵タンクの反対する側に設けられることを特徴とする請求項３に記載の石鹸液補給関連表示機能を備える洗面台載置型石鹸液供給装置。
【請求項６】
前記石鹸液供給本体の前記カバーは、洗面台上に設けられた固定ネック部を含むことを特徴とする請求項１に記載の石鹸液補給関連表示機能を備える洗面台載置型石鹸液供給装置。
【請求項７】
前記石鹸液供給本体は、前記固定ネック部と対向し、且つ互いに離間して設けられた係止部品を含み、前記石鹸液供給本体を前記固定ネック部及び前記係止部品で洗面台上に固定できることを特徴とする請求項６に記載の石鹸液補給関連表示機能を備える洗面台載置型石鹸液供給装置。
【請求項８】
前記係止部品が前記石鹸液充填管の外部に嵌設されることを特徴とする請求項７に記載の石鹸液補給関連表示機能を備える洗面台載置型石鹸液供給装置。
【請求項９】
前記石鹸液充填管は、光透過材料からなることを特徴とする請求項１に記載の石鹸液補給関連表示機能を備える洗面台載置型石鹸液供給装置。
【請求項１０】
前記制御ボックス内に、前記液位検出ユニットに接続された制御ユニット及び前記制御ユニットに接続され、外部電子装置と通信して信号を伝送できる通信ユニットが設けられることを特徴とする請求項１に記載の石鹸液補給関連表示機能を備える洗面台載置型石鹸液供給装置。
【請求項１１】
前記液位検出ユニットは、前記石鹸液貯蔵タンク内における前記石鹸液の上方液位を検出するための上方液位検出ユニット及び前記石鹸液貯蔵タンク内における前記石鹸液の下方液位を検出するための下方液位検出ユニットを含むことを特徴とする請求項１０に記載の石鹸液補給関連表示機能を備える洗面台載置型石鹸液供給装置。
【発明の詳細な説明】
【技術分野】
【０００１】
本発明は、石鹸液補給関連表示機能を備える洗面台載置型石鹸液供給装置に関し、特に石鹸液の液位状態に基づき、発光により石鹸液の補給を促し、石鹸液を満注したことを示すことができる洗面台載置型石鹸液供給装置に関するものである。
【背景技術】
【０００２】
この種の装置として、特許文献１に開示された石鹸液供給装置が知られている。当該装置は、後蓋板と、石鹸液を貯蔵するための石鹸液貯蔵タンクと、石鹸液貯蔵タンクと連通して結合されるように石鹸液貯蔵タンクの下方に設けられた石鹸液吐出部と、後蓋板を覆って石鹸液貯蔵タンクを収容するための前蓋板とを含む。後蓋板に石鹸液貯蔵タンクの開口側をクランプする第１クランプ部及び石鹸液吐出部をクランプする第２クランプ部が設けられ、清掃スタッフが石鹸液貯蔵タンクへ石鹸液を補給するとき、石鹸液貯蔵タンクを第１クランプ部及び第２クランプ部から取り外すだけで、石鹸液貯蔵タンクに石鹸液を補給できる。当該石鹸液供給装置は、清掃スタッフが石鹸液貯蔵タンクを取り外すのに有利であるが、石鹸液貯蔵タンクへ石鹸液を補給するとき、石鹸液貯蔵タンクをカバーする前蓋板を取り外さなければならず、また、第１クランプ部及び第２クランプ部で石鹸液貯蔵タンクを固定する構造は安定的ではなく、石鹸液を補給するときの引き抜き動作が繰り返されるに伴い、第１クランプ部、第２クランプ部と後蓋板と接合した部位が変形しやすくなり、ひいては構造が壊れて使用できなくなる場合がある。
【０００３】
特許文献２は、自動石鹸液供給機を設置しやすくするために、自動石鹸液供給機装置を開示している。当該装置は、石鹸液を貯蔵するための石鹸液貯蔵タンクと、石鹸液貯蔵タンクの開口部に設けられ、石鹸液を吸い取る加圧ポンプと、加圧ポンプが石鹸液を外部へ吸い取るようにポンプに当接して設けられた駆動モジュールと、加圧ポンプに接続され、石鹸液を下方へ運ぶ石鹸液輸送パイプと、前記各部材を収容するためのカバーとを含む。当該自動石鹸液供給装置は、石鹸液供給蛇口と共に設置でき、使用者が手を蛇口の下方に近づけると、蛇口に設けられたセンサが石鹸液供給機に起動信号を送信し、石鹸液貯蔵タンク内の石鹸液が石鹸液供給蛇口から吐出されると、使用者は両手を洗浄できる。しかしながら、このような構造へ石鹸液を補給するときは、石鹸液貯蔵タンクを取り出す必要があるため、石鹸液貯蔵タンクに螺合された加圧ポンプを取り外さなければならない。特に、加圧ポンプのねじ山で石鹸液貯蔵タンクを固定する構造は、石鹸液貯蔵タンクが浮く設計とするため、石鹸液貯蔵タンクを取り替えるときは、一定の重量を有するため加圧ポンプから取り外しにくく、また、ちょっとした不注意でも、石鹸液貯蔵タンクが地面に落ちて石鹸液がこぼれてしまうため、非常に取り扱いにくい。
【０００４】
出願人は本願の前に石鹸液補給型の石鹸液供給装置に関する特許出願を行った（特許文献３参照）。当該装置は、石鹸液貯蔵タンクと、石鹸液供給機と、支持フレームとを含む。石鹸液貯蔵タンクは、貯蔵部と、貯蔵部に設けられた口部と、貯蔵部に設けられた少なくとも１つの当接部とを含み、石鹸液供給機は、石鹸液貯蔵タンクと連通して石鹸液を吸い取る石鹸液吸入パイプと、石鹸液吸入パイプと連通して石鹸液を送り出す石鹸液送出パイプと、石鹸液吸入パイプ及び石鹸液送出パイプの内部圧力を増加させて石鹸液吸入パイプ内の石鹸液を石鹸液送出パイプへ送り出す加圧装置とを含み、支持フレームは、石鹸液供給機を固定するための第１支持部と、石鹸液貯蔵タンクの当接部と対応して連設されて石鹸液貯蔵タンクを支持する第２支持部とを含み、石鹸液貯蔵タンクをレール部から引き抜くことが容易であるため、石鹸液の補給操作が簡単である。
【０００５】
しかしながら、上記のような装置では、いずれも石鹸液を補給するには石鹸液貯蔵タンクを取り出さなければならず、通常、石鹸液貯蔵タンクが洗面台の下方に隠れて取り付けられるため、石鹸液を補給するとき、洗面台の下方の小さなスペースから石鹸液貯蔵タンクを取り出して石鹸液を補給し、補給が終わると戻すようにする。一方、操作者のちょっとした不注意で、石鹸液貯蔵タンクが落ちて石鹸液がこぼれてしまうことがよくある。
【０００６】
そこで、従来の石鹸液補給操作を簡素化するために、特許文献４〜特許文献８のように、洗面台載置型石鹸液供給装置が開発されている。しかしながら、これらの洗面台載置型石鹸液供給装置は、一般的に構造が複雑で、石鹸液を補給し過ぎると石鹸液貯蔵タンクからこぼれてしまい、石鹸液貯蔵タンクの周囲を汚してしまう場合がよくある。
【先行技術文献】
【特許文献】
【０００７】
【特許文献１】米国特許登録第５７９１５２５号明細書
【特許文献２】台湾実用新案登録第Ｍ３７４８３０号明細書
【特許文献３】台湾特許登録第Ｉ４５０７００号明細書
【特許文献４−８】米国特許登録第７５２７１７４号明細書、米国特許登録第８５７９１５７号明細書、米国特許登録第９６８１７８０号明細書、米国特許公開第２０１７１１２３２９号明細書、米国特許公開第２０１７１９０５６５号明細書
【発明の概要】
【発明が解決しようとする課題】
【０００８】
そこで、本発明は、石鹸液補給関連表示機能を備え、洗面台上でも石鹸液を充填可能な洗面台載置型石鹸液供給装置を提供することを目的とする。
【課題を解決するための手段】
【０００９】
本発明は、上記の目的を達成すべくなされたものであり、石鹸液補給関連表示機能を備え、洗面台上に設けられて石鹸液を自動的に供給する洗面台載置型石鹸液供給装置を提供する。当該洗面台載置型石鹸液供給装置は、石鹸液貯蔵タンクと、石鹸液供給本体と、石鹸液供給機と、制御ボックスとを含む。
前記石鹸液貯蔵タンクは、石鹸液を貯蔵する。その内部に石鹸液の液位状態を検出し、石鹸液補給信号を発信する液位検出ユニットが設けられる。
前記石鹸液供給本体は、洗面台上に設けられるカバーと、前記カバー内に設けられ、前記石鹸液貯蔵タンクと連通した石鹸液充填管と、前記石鹸液充填管を覆って閉鎖させる蓋板と、前記カバー内に設けられ、発光して前記カバーに石鹸液補給関連発光領域を形成する少なくとも１つの発光モジュールと、センサが設けられ、検知信号を発信する検知領域と、前記カバーに接続された石鹸液供給蛇口とを含み、前記石鹸液充填管の前記蓋板に近い部位に、前記蓋板を取り囲む光透過ネック部が設けられ、前記光透過ネック部は前記カバーから一部露出することで、前記発光モジュールから発せられた光線が前記光透過ネック部を通過して前記石鹸液補給関連発光領域を形成し、前記石鹸液供給蛇口は少なくとも１つの前記石鹸液を供給する石鹸液吐出口及び排気管を介して前記石鹸液貯蔵タンクに接続された排気口を備える。
前記石鹸液供給機は、前記石鹸液貯蔵タンクに接続され、且つ前記石鹸液吐出口に接続され、前記石鹸液貯蔵タンク内に貯蔵された前記石鹸液を前記石鹸液吐出口に運ぶ石鹸液吐出パイプを含む。
前記制御ボックスは、前記液位検出ユニット、前記センサ、前記発光モジュール及び前記石鹸液供給機にそれぞれ電気的に接続されることで、前記液位状態を検出して発信された前記石鹸液補給信号及び前記検知信号を受信して、前記石鹸液補給信号に基づき、前記発光モジュールを駆動して発光することで、前記石鹸液供給本体に前記石鹸液補給関連発光領域を形成し、且つ前記検知信号に基づき、前記石鹸液供給機を制御して前記石鹸液貯蔵タンク内の前記石鹸液を前記石鹸液吐出パイプを介して前記石鹸液吐出口へ運んで前記石鹸液を供給する。
【００１０】
場合によっては、前記蓋板は、キーでロックすることで前記石鹸液充填管の不正開放を防止できるロック機構を含む。
【００１１】
場合によっては、前記石鹸液貯蔵タンクは、接続部を含み、前記石鹸液充填管と前記排気管とが前記接続部により前記石鹸液貯蔵タンクに接続される。
【００１２】
場合によっては、前記制御ボックスが前記石鹸液貯蔵タンクの上方に設けられ、且つ前記接続部及び前記石鹸液供給機が前記石鹸液貯蔵タンクの同じ側に設けられる。
【００１３】
場合によっては、前記制御ボックスが前記石鹸液貯蔵タンクの下方に設けられ、且つ前記接続部及び前記石鹸液供給機が前記石鹸液貯蔵タンクの反対する側に設けられる。
【００１４】
場合によっては、前記石鹸液供給本体の前記カバーは、前記洗面台上に設けられた固定ネック部を含む。
【００１５】
場合によっては、前記石鹸液供給本体は、前記固定ネック部と対向し、且つ互いに離間して設置された係止部品を含み、前記石鹸液供給本体を前記固定ネック部及び前記係止部品で前記洗面台上に固定できる。
【００１６】
場合によっては、前記係止部品が前記石鹸液充填管の外部に嵌設される。
【００１７】
場合によっては、前記石鹸液充填管は、光透過材料からなる。
【００１８】
場合によっては、前記制御ボックス内に、前記液位検出ユニットに接続された制御ユニット及び前記制御ユニットに接続され、外部電子装置と通信して信号を伝送できる通信ユニットが設けられる。
【００１９】
場合によっては、前記液位検出ユニットは、前記石鹸液貯蔵タンク内における前記石鹸液の上方液位を検出するための上方液位検出ユニット及び前記石鹸液貯蔵タンク内における前記石鹸液の下方液位を検出するための下方液位検出ユニットを含む。
【発明の効果】
【００２０】
上記の記載から、従来技術と比べ、本発明は次のいくつかの有益な効果を得られることが明らかになる。
１、石鹸液補給関連発光領域により、石鹸液の液位状態を判断し、そして石鹸液を補給する必要があるか、又は石鹸液を満注したかを判断できる。
２、排気口は、石鹸液貯蔵タンク内のガスを排出でき、また不注意で石鹸液貯蔵タンクに石鹸液を充填し過ぎるとき、過剰の石鹸液を排気口から排出することで、石鹸液が石鹸液貯蔵タンクから溢れ出ることを防止できる。
３、本発明は、従来技術よりも構造がシンプルであるため、材料コストや装着コストを大幅に減らすことができる。
【図面の簡単な説明】
【００２１】
【図１】本発明の斜視図である。
【図２】本発明の石鹸液貯蔵タンクの断面図である。
【図３】本発明の石鹸液供給本体の分解図である。
【図４】第１角度から見た本発明の石鹸液供給本体の断面図である。
【図５】第２角度から見た本発明の石鹸液供給本体の断面図である。
【図６】本発明の別の実施形態の斜視図である。
【図７】本発明の別の実施形態の電気回路を示すブロック図である。
【発明を実施するための形態】
【００２２】
以下、図面を参照しながら本発明の詳細や技術内容について説明する。
【００２３】
図１、図２に示すように、本発明の石鹸液補給関連表示機能を備える洗面台載置型石鹸液供給装置１０は、洗面台上に設けられ、石鹸液を自動的に供給し、石鹸液貯蔵タンク２０と、石鹸液供給本体３０と、石鹸液供給機４０と、制御ボックス５０とを含む。
【００２４】
図２に示すように、石鹸液貯蔵タンク２０は、石鹸液６０を貯蔵し、その内部に石鹸液６０の液位状態を検出し、石鹸液補給信号を発信する液位検出ユニット２１を含み、本実施例では、石鹸液貯蔵タンク２０に上方液位検出ユニット２１１及び下方液位検出ユニット２１２が設けられ、上方液位検出ユニット２１１は、石鹸液６０の上方液位を検出し、且つ石鹸液６０が上方液位に達すると石鹸液充填完了信号を発信し、下方液位検出ユニット２１２は、石鹸液６０の下方液位を検出し、且つ石鹸液６０が下方液位に達すると石鹸液補給信号を発信し、石鹸液貯蔵タンク２０に石鹸液供給本体３０を接続するための接続部２２が設けられる。
【００２５】
図３、図４、図５に示すように、石鹸液供給本体３０は、洗面台上に設けられ（従来技術であるため説明を省略する）、洗面台上に設けられるカバー３１と、カバー３１内に設けられ、石鹸液貯蔵タンク２０と連通した石鹸液充填管３２と、カバー３１を洗面台上に固定するための係止部品３３と、石鹸液充填管３２を覆って閉鎖させる蓋板３４と、カバー３１の内部に設けられ、発光してカバー３１に石鹸液補給関連発光領域（これについて後述する）を形成する少なくとも１つの発光モジュール３５と、センサ３６１が設けられ、検知信号を発信する検知領域３６と、カバー３１に接続された石鹸液供給蛇口３７とを含む。本実施例では、カバー３１は中空の管状体であり、且つカバー３１の底部に固定ネック部３１１が設けられ、固定ネック部３１１でカバー３１を洗面台上に設けることができる。石鹸液充填管３２は、光透過材料からなる中空の管状体であり、石鹸液充填パイプ３２１（図１参照）を介して石鹸液貯蔵タンク２０の接続部２２に接続され、且つ石鹸液充填管３２の上方に光透過ネック部３２２が形成され、光透過ネック部３２２がカバー３１の上方に跨って設置され、石鹸液充填管３２が延伸してカバー３１の固定ネック部３１１を通り抜け、且つ洗面台を通り抜ける。係止部品３３は、洗面台の下方で石鹸液充填管３２の外部に嵌設され、且つカバー３１の固定ネック部３１１と対向し、且つ互いに離間するように設けられ、係止部品３３及び固定ネック部３１１でそれぞれ洗面台の上側、下側を挟持することで、石鹸液供給本体３０を洗面台上に固定する。蓋板３４は、石鹸液充填管３２の光透過ネック部３２２の中央を覆うことで、光透過ネック部３２２が蓋板３４の縁部に分布し、且つ蓋板３４にロック機構３４１を設けることで、蓋板３４が石鹸液供給本体３０から不正開放されることを防止し、またロック機構３４１にキー３４２を配置することで、操作者がキー３４２を用いてロック機構３４１を開き、石鹸液充填管３２から蓋板３４を取り外すことができる。発光モジュール３５をカバー３１と石鹸液充填管３２との間、且つ光透過ネック部３２２の下方に設けることで、発光モジュール３５から発せられた光線が光透過ネック部３２２から外部へ透過して石鹸液補給関連発光領域を形成する。検知領域３６がカバー３１に設けられ、センサ３６１が石鹸液充填管３２の検知領域３６と対向する部位に設けられ、センサ３６１は検知領域３６により使用者の手が石鹸液供給本体３０に近づいたか否かを検知できる。石鹸液供給蛇口３７は少なくとも１つの石鹸液６０を供給する石鹸液吐出口３７１及び排気管３７３を介して石鹸液貯蔵タンク２０に接続された排気口３７２を備える。
【００２６】
石鹸液供給機４０が石鹸液貯蔵タンク２０に接続され、石鹸液吐出口３７１に接続され、石鹸液貯蔵タンク２０内に貯蔵された石鹸液６０を石鹸液吐出口３７１に運ぶ石鹸液吐出パイプ４１を含む。
【００２７】
制御ボックス５０が液位検出ユニット２１、センサ３６１、発光モジュール３５及び石鹸液供給機４０に電気的に接続されることで、液位検出ユニット２１が石鹸液６０の液位状態を検出して発信した石鹸液補給信号及びセンサ３６１が発信した検知信号を受信する。
【００２８】
図１、図２、図３、図４、図５に示すように、洗面台載置型石鹸液供給装置１０を洗面台に取り付けた後、主には石鹸液供給本体３０の検知領域３６により使用者の手が石鹸液供給本体３０に近づいたか否かを検知し、使用者の手が石鹸液供給本体３０に近づいてセンサ３６１が使用者の手を検知したら、検知信号を発信し、制御ボックス５０が検知信号を受信すると、直ちに石鹸液供給機４０を動作させ、そして石鹸液供給機４０が石鹸液貯蔵タンク２０内の石鹸液６０を、石鹸液吐出パイプ４１を介して石鹸液供給蛇口３７の石鹸液吐出口３７１から排出させて使用者に供給することで、自動的な石鹸液供給を実現する。
【００２９】
しかしながら、石鹸液貯蔵タンク２０内の石鹸液６０の液位が徐々に下がって下方液位検出ユニット２１２まで来ていると、下方液位検出ユニット２１２が石鹸液６０を検知できなくなり、石鹸液補給信号を発信して制御ボックス５０に送信する。制御ボックス５０が石鹸液補給信号を受信したら、発光モジュール３５を駆動して発光し、光線が光透過ネック部３２２を通過して石鹸液供給本体３０に石鹸液補給関連発光領域を形成し、さらに、石鹸液補給関連発光領域の表示効果により、石鹸液貯蔵タンク２０内の石鹸液６０の液位が既に下方液位まで下がったことを示して、石鹸液の補給を促す。
【００３０】
操作者が石鹸液を補給するとき、まずキー３４２を用いてロック機構３４１を開き、蓋板３４を石鹸液供給本体３０から取り外し、そして直接石鹸液６０を石鹸液充填管３２に注入すると石鹸液６０が石鹸液充填管３２の石鹸液充填パイプ３２１を流れて石鹸液貯蔵タンク２０に入り、ただし、石鹸液充填管３２を介して石鹸液６０を補給するとき、石鹸液６０を注入する間にガスが石鹸液貯蔵タンク２０に混入したとき、ガスは排気管３７３を経由して石鹸液供給蛇口３７の排気口３７２から排出され、これにより、ガスが石鹸液貯蔵タンク２０内に残留することを防止でき、そして石鹸液６０が石鹸液貯蔵タンク２０に流れる速度を速め、石鹸液補給の効率を高めることができる。
【００３１】
また、石鹸液貯蔵タンク２０内の石鹸液６０の液位が上方液位検出ユニット２１１まで達すると、上方液位検出ユニット２１１が石鹸液充填完了信号を発信し、制御ボックス５０が石鹸液充填完了信号を受信したら、発光モジュール３５を駆動して発光し、そして光線が光透過ネック部３２２から外部へ透過して石鹸液供給本体３０に石鹸液補給関連発光領域を形成し、操作者がこれを見ると操作を停止し、そして蓋板３４で石鹸液供給本体３０を覆ってロックすれば、石鹸液の補給操作が完了する。なお、石鹸液を補給する間に、操作者の不注意で石鹸液６０を注入し過ぎた場合、排気口３７２が排気管３７３を介して石鹸液貯蔵タンク２０と連通するため、石鹸液６０が石鹸液貯蔵タンク２０から溢れ出るが、過剰の石鹸液６０が排気管３７３を介して排気口３７２から排出され、これにより、過剰の石鹸液６０が石鹸液貯蔵タンク２０から流出することを回避し、石鹸液貯蔵タンク２０の周囲を汚すことを防止できる。
【００３２】
さらに、発光モジュール３５は、異なる色の光線を発することができ、例えば、制御ボックス５０が下方液位検出ユニット２１２からの石鹸液補給信号を受信した場合、制御ボックス５０が発光モジュール３５を駆動して赤色の光線を発し、赤色の光線が光透過ネック部３２２を通過して石鹸液供給本体３０に赤色の石鹸液補給関連発光領域を形成する。石鹸液の補給操作が完了すると、制御ボックス５０が上方液位検出ユニット２１１からの石鹸液充填完了信号を受信した場合、発光モジュール３５を駆動して緑色の光線を発し、緑色の光線が光透過ネック部３２２を通過して石鹸液供給本体３０に緑色の石鹸液補給関連発光領域を形成する。
【００３３】
図１に示すように、本発明は支持フレーム７０をさらに含み、支持フレーム７０は、石鹸液貯蔵タンク２０及び制御ボックス５０を洗面台の下方に固定する。本実施例では、制御ボックス５０は、石鹸液貯蔵タンク２０の上方に設けられ、且つ支持フレーム７０で固定され、石鹸液貯蔵タンク２０の接続部２２及び石鹸液供給機４０が石鹸液貯蔵タンク２０の同じ側に設けられる。図６に示すように、本実施例では、制御ボックス５０が石鹸液貯蔵タンク２０の下方に設けられ、且つ支持フレーム７０で固定され、石鹸液貯蔵タンク２０の接続部２２及び石鹸液供給機４０が石鹸液貯蔵タンク２０の反対する側にそれぞれ設けられる。
【００３４】
図７に示すように、本発明は、石鹸液補給信号を、通信ユニット８０を利用して外部電子装置９０に伝送することができ、操作者は外部電子装置９０を利用して石鹸液補給信号を直ちに取得できる。制御ボックス５０内に制御ユニット５１が設けられ、制御ユニット５１が上方液位検出ユニット２１１及び下方液位検出ユニット２１２にそれぞれ接続され、且つ制御ユニット５１が通信ユニット８０に接続され、通信ユニット８０と外部電子装置９０とは所定の通信プロトコルにより信号の伝送や交換を行う。制御ユニット５１により石鹸液補給信号を取得した後、石鹸液補給信号を、通信ユニット８０を介して外部電子装置９０に伝送し、外部電子装置９０は、例えば、マルチメディア受信装置、携帯電話などである。操作者は外部電子装置９０により石鹸液補給信号を取得すると、直ちに石鹸液の補給を開始することができる。
【００３５】
従来技術と比べ、本発明は、石鹸液供給本体３０の蓋板３４を直接取り外すことができるため、洗面台上でも石鹸液６０を補給することができ、且つ発光モジュール３５及び光透過ネック部３２２により形成される石鹸液補給関連発光領域により、石鹸液貯蔵タンク２０内の石鹸液６０の液位状態を認識し、そして石鹸液を充填する必要があるか、又は石鹸液を満注したかを判断することで、石鹸液補給関連表示機能を備え、洗面台上でも石鹸液を充填可能な洗面台載置型石鹸液供給装置１０を実現する。
【００３６】
本発明では、各部材を接続するためのパイプとして石鹸液充填パイプ３２１、排気管３７３及び石鹸液吐出パイプ４１を含むが、これらだけに限定されず、且ついずれも軟質で湾曲可能な管体で形成されるため、本発明の洗面台載置型石鹸液供給装置１０は、環境に応じて手軽で迅速に取り付けることができ、つまり、支持フレーム７０を利用して限られたスペースの中で石鹸液貯蔵タンク２０、石鹸液供給機４０、制御ボックス５０を柔軟に配置して取り付けることができる。
【００３７】
また、排気口３７２及び排気管３７３を介して石鹸液貯蔵タンク２０内のガスを排出できるだけではなく、不注意で石鹸液貯蔵タンク２０に石鹸液６０を充填し過ぎるとき、過剰の石鹸液６０を排気口３７２から排出することで、石鹸液６０が石鹸液貯蔵タンク２０から溢れ出ることを回避でき、本発明は従来技術よりも構造がシンプルであるため、材料コストや装着コストを大幅に減らして、製品の競争力を高めることができる。
【符号の説明】
【００３８】
１０  洗面台載置型石鹸液供給装置
２０  石鹸液貯蔵タンク
２１  液位検出ユニット
２１１  上方液位検出ユニット
２１２  下方液位検出ユニット
２２  接続部
３０  石鹸液供給本体
３１  カバー
３１１  固定ネック部
３２  石鹸液充填管
３２１  石鹸液充填パイプ
３２２  光透過ネック部
３３  係止部品
３４  蓋板
３４１  ロック機構
３４２  キー
３５  発光モジュール
３６  検知領域
３６１  センサ
３７  石鹸液供給蛇口
３７１  石鹸液吐出口
３７２  排気口
３７３  排気管
４０  石鹸液供給機
４１  石鹸液吐出パイプ
５０  制御ボックス
５１  制御ユニット
６０  石鹸液
７０  支持フレーム
８０  通信ユニット
９０  外部電子装置
【図１】
2019034114.tif 000003
【図２】
2019034114.tif 000004
【図３】
2019034114.tif 000005
【図４】
2019034114.tif 000006
【図５】
2019034114.tif 000007
【図６】
2019034114.tif 000008
【図７】
2019034114.tif 000009
【外国語明細書】
2019034114000001.pdf